(57)【要約】      （修正有）【課題】匙部と柄部と握り部が夫々分離と連結ができ、更に寸法調整もでき匙部の交換で多様な作業に対応できるスコップを提供する。【解決手段】匙部１と柄部２と握り部３で構成されるスコップにおいて、匙部は鋼板を用い上面の足掛け部分に合成樹脂製の足掛け部材５を挿入した剣先１６形状で匙部と上部に各１個の貫通孔、表面に任意の形状と寸法の波形加工１１を垂直方向に施し、柄部は金属パイプを用い下部に数個、上部に数個の貫通孔を設けたパイプ表面の片側に貫通孔を外して任意の寸法と間隔で半円のパイプ押加工を施し、握り部は柄部に挿着可能な金属パイプを用い両端に硬質のパイプ栓１５を設け、Ｔ形突合せ部を両側から任意の寸法で絞ったＴ形形状とし、下部に数個の貫通孔と上部両側に任意の寸法と間隔で半円のパイプ押加工１３を施し匙部と柄部及び柄部と握り部がそれぞれ連結部品９，１０で締結可能で寸法変更も可能とする。【選択図】図１
2015200154.tif 000002
【特許請求の範囲】
【請求項１】
匙部と柄部と握り部で構成されるスコップにおいて、匙部は鋼板を用い上面の足掛け部分に合成樹脂製の足掛け部材を挿入した剣先形状で匙部と上部に各１個の貫通孔、表面に任意の形状と寸法の波形加工を垂直方向に施し、柄部は金属パイプを用い下部に数個、上部に数個の貫通孔を設けたパイプ表面の片側に貫通孔を外して任意の寸法と間隔で半円のパイプ押加工を施し、握り部は柄部に挿着可能な金属パイプを用い両端に硬質のパイプ栓を設け、Ｔ形突合せ部を両側から任意の寸法で絞ったＴ形形状とし、下部に数個の貫通孔と上部両側に任意の寸法と間隔で半円のパイプ押加工を施し匙部と柄部及び柄部と握り部がそれぞれ連結部品で締結可能で寸法変更も可能としたことを特徴とする多機能スコップ。
【請求項２】
握り部の形状をＴ形からＹ形としたことを特徴とする請求項１に記載の多機能スコップ。
【請求項３】
匙部の形状を任意の数の剣先とし、匙部と上部に各１個の貫通孔、表面には任意の形状と寸法の波形加工を垂直方向に施したことを特徴とする請求項１乃至２に記載の多機能スコップ。
【請求項４】
匙部の形状を角型とし、匙部と上部に各１個の貫通孔、表面には任意の形状と寸法の波形加工を垂直方向に施したことを特徴とする請求項１乃至２に記載の多機能スコップ。
【請求項５】
匙部に柄部が挿入可能な金属パイプを用い上下に各１個の貫通孔と下面に下端が鋭角な硬質鋼材を溶接したことを特徴とする請求項１乃至２に記載の多機能スコップ。
【発明の詳細な説明】
【技術分野】
【０００１】
本発明の多機能スコップは、主に土を掘る又は掬って移動させる場合に作業効率を高めると共に他の各種作業にも対応でき全長も変更可能なスコップに関するものである。
【背景技術】
【０００２】
土を掘ったり掬ったりして移動させる用具をシャベル（ＪＩＳではショベル）又はスコップと呼び、西日本では足を掛ける部分が有り大型のものをシャベル、足掛け部が無くて小型のものをスコップと一般に呼んでいるが東日本では呼び名が逆となっている。一般に市販されているシャベルは形状により剣先スコップと角型スコップに代表されており正式にはシャベルであっても通称はスコップで流通している。従って、本発明品もスコップとして説明する。
【０００３】
スコップには匙部、柄部、握り部よりなる部品構成型と各部が溶接されている一体構成型がある。形状は匙部が剣先又は角型、握り部はＹ形で大小はあるが他の形状は見当たらない。部品構成型は匙部に鋼板、柄部は木又はパイプ、握り部は木,鋼、ステンレス、アルミ、樹脂等の組み合わせよりなり夫々をリベット、はめあい、溶接等で緊結してある。一体構成型は匙部、柄部、握り部に金属を用いて夫々を溶接したもので多種類が販売されている。販売価格はメーカーと使用材質によって異なり部品構成型、一体構成型共価格は千円〜４千円と幅が広く低価格品は中国製が多い。匙部の形状は剣先と角型が主であり材質は鋼板、ステンレス鋼板等が使用され高品質品は先端が焼き入れ焼き戻しされ対衝撃及び磨耗性を向上させており形式によっては１０年保障がついている製品もある。他に、オールステンレス製の一体型で主に土の掘り起こしに使用され匙部が剣先で足掛け部を広くし土の付着を少なくした（有）浅野木工所製の変形スコップ（四万十式龍馬スキ）が価格９千４百円で直販されている。以上、スコップの形状及び機能は基本的には何十年もの間ほとんど変わらないが素材面と新機能を加味した形状面では確実に進化している。但し、何れもスコップの長さは一定であり使用者に合わせて変えることは出来ない。
【０００４】
上記市販品とは別に改良を加えたスコップが各種提案されている。１例は、スコップの掬い面に土砂の付着を少なくする為に、スコップを刺し込む際差し込む方向と交叉する帯状の交叉面を複数設けることにより付着力が低減できるスコップが提案されている。（例えば特許文献１）。２例は、スコップの先端を数条の槍状突起し剣先スコップでは困難であった粘土層に対して容易に突き刺さり楽に穴掘りができる槍先スコップが提案されている（例えば特許文献２）。３例は、スコップ等の手持ち工具で、工具先端の作用具、柄杆部、把手部において、柄杆部と把手部は共通で作用具のみを交換することにより多用途に対応でき、各部が分離可能な為修理調整が容易な部品交換型スコップ状手持ち工具が提案されている（例えば特許文献３）。４例は、鋼管製の柄体の両端に匙体と把手部を固着した鋼製のスコップにおいて、柄体と把手部の少なくとも一方の表面にローレット加工による複数の線状溝を刻設し滑り止めとしたスコップが提案されている（例えば特許文献４）。
【先行技術文献】
【特許文献】
【０００５】
【特許文献１】特開２００５−１６１８９
【特許文献２】特開平１１−２８０１０２
【特許文献３】特開２００４−７６５３６
【特許文献４】特開２００４−１１３６５
【発明の概要】
【発明が解決しようとする課題】
【０００６】
現在金物店、ホームセンター、通販、ネット等で取り扱われているスコップは製造元が変わっても形状では見分けがつかない状態である。このことは使用者が固定観念に縛られており作業に応じて多少の不便があっても気にならないと言うことがスコップの進化を妨げている原因の一つでは無いかと考える。この対策としてより使い勝手の良いスコップを開発した提案を上記特許分献１〜４で示した。又、これら以外にも多くの提案がなされているがほとんどが提案のみで実用化はされていないのが実状である。発明が解決しようとする課題は、市販のスコップをベースにし（１）匙部の掬い面に土砂が付着しにくい形状加工をする。（２）匙部、柄部、握り部をそれぞれ分離と組み付け、更にスコップの長さを調節出来る形態とする。（３）土砂、粘土層等に対して使い分けが出来る各種形状の匙部を用意する。（４）柄部、握り部を手指に沿わせた形状とし作業が効率向よく出来るようにする。以上（１）〜（４）を集約し従来の常識を変えた多機能スコプを開発して実用化し安価にて提供することである。  
【課題を解決するための手段】
【０００７】
匙部と柄部と握り部で構成されるスコップにおいて、匙部は鋼板を用い上面の足掛け部分に合成樹脂製の足掛け部材を挿入した剣先形状で匙部と上部に各１個の貫通孔、表面に任意の形状と寸法の波形加工を垂直方向に施し、柄部は金属パイプを用い下部に数個、上部に数個の貫通孔を設けたパイプ表面の片側に貫通孔を外して任意の寸法と間隔で半円のパイプ押加工を施し、握り部は柄部に挿着可能な金属パイプを用い両端に硬質のパイプ栓を設け、Ｔ形突合せ部を両側から任意の寸法で絞ったＴ形形状とし、下部に数個の貫通孔と上部両側に任意の寸法と間隔で半円のパイプ押加工を施し匙部と柄部及び柄部と握り部がそれぞれ連結部品で締結可能で寸法変更も可能とした多機能スコップとする。
【０００８】
握り部は交換可能なので，使い勝手でＴ形がなじまない場合はＹ形を使用する。又、作業内容により匙部を三剣先又は角型又は１本剣先に交換して使用する。
【発明の効果】
【０００９】
本発明の多機能スコップは、匙部、柄部、握り部が別々に連結可能に構成されているので匙部を交換すれば１対の柄部と握り部で用途に応じての他の作業が可能であり従来の一体型スコップの様に複数用意する必要がなく場所も取らず保管も容易である。又、作業者の身長、作業条件等でスコップの長さが数段階に変えられるように柄部と握り部の連結部分において長さ調節用の貫通孔を握り部下部に数個、柄部の上部に同間隔で数個を設けてありそれぞれの組み合わせで数段階の寸法調整を行うことがでる。又、匙部の波形加工は垂直な波形が作用して土砂の付着を少なくし、上部の足掛け部分も通常品より足掛け部材挿入で円形と長めに設定しているので足による荷重伝達が増しスコップが土中により入り易くなる。
【００１０】
握り部形状はほとんどのスコップがＹ形であるが本発明ではＴ形を主としている。各種作業具において握り部がＴ形となっているのは見かけないがスコップで使用した感想はＴ形部分に手の平と指が効果的に作用するので思ったより違和感はなく力も十分加わる。特に、掬い作業の場合には使い勝手がよい。又、穴掘りの際には両手でＴ部分をしっかりと握ることが出来るのでＹ形より効率よく土中にスコップを入れることができる。Ｙ形を望む場合には取り替えることで容易に対応できる。
【００１１】
柄部と握り部の金属パイプ片側に施してある半円の押し加工はパイプの強度を増すと共に形状が楕円形となるので握り易く滑り止めにもなる。
【００１２】
本発明での匙部の形状は土砂用では剣先、三剣先、角型でほとんど対応できると考えるが
地面が硬い所、土中の石の掘り出し等には１本剣先を使用すれば通常の難作業を容易に行うことができる。
【図面の簡単な説明】
【００１３】
【図１】匙部が剣先で握り部をＴ形とした多機能スコップの正面図である。
【図２】匙部が剣先で握り部をＴ形とした多機能スコップの側面図である。
【図３】匙部が剣先で握り部をＴ形とした多機能スコップの分離正面図である。
【図４】匙部が剣先で握り部をＹ形とした多機能スコップの正面図である。
【図５】匙部が剣先で握り部をＹ形とした多機能スコップの分離正面図である。
【図６】匙部の形状を三剣先と角型とした匙部正面図である。
【図７】匙部の形状を１本剣先とした匙部正面図である。
【発明を実施するための形態】
【実施例１】
【００１４】
図１は匙部が剣先で握り部をＴ形とした多機能スコップの正面図、図２は側面図である。匙部１、柄部２、Ｔ形握り部３はボルト、ナット等の連結部品９，１０でそれぞれが締結されている。緩めて引き抜けば分離するが取り付け取り外しには必ず専用工具を使用し特に締結は確実に行わなくてはならない。匙部１は高張力鋼板等を用いた剣先１６形状で匙部上面と上部横に各１個の貫通孔６を設けると共に内側部分にＡ−Ａ断面に示す複数の波形加工１１を施すことにより匙部１の強度が増し土離れもよくなる。又、足掛け部には足掛け部材５を挿入することにより足裏加重が増すので匙部１が土中に入り易くなる。柄部２は下２個上３個の貫通孔７を設けた軽量なアルミパイプを用い、上下貫通孔７を除いた部分の片側にＣ−Ｃ断面に示す任意の半円で等間隔のパイプ押加工１２を施すことによりパイプが楕円形状となり強度が増すと共に手指がなじみ握り易く滑り止めにもなるので作業性が向上する。Ｔ形握り部３の下部は柄部２のパイプの内径に挿着可能なステンレスパイプ又はアルミパイプを用い下部に２個の貫通孔８を設けて寸法調整を行う。上面両側片面にはＢ−Ｂ断面に示すパイプ押加工１３を施して握り易くすると共にＴ形下部を両側から絞り指に沿う形状とする。又、Ｔ形握り部３の両側は、土を掘る際には両手でしっかりと握れるのでスコップに効率よく力が加わり作業がやり易くなる。Ｔ形握り部３の両端のパイプ栓１５には鋼製半球面又は硬質合成樹脂を用い溶接、ねじ込み、はめ込み等で装着する。
【実施例２】
【００１５】
図３は匙部が剣先で握り部をＴ形とした多機能スコップの分離正面図である。図１の連結部品９、１０を専用工具で緩めて引き抜くことにより匙部１、柄部２、Ｔ形握り部３は分離する。分離させる目的は匙部１を剣先１６，三剣先１７、角型１８、１本剣先を用意しておけば必要に応じて夫々の使用ができると共に全長の２段階調整を可能とすることである。２段階調整方法は軸部２の上方貫通孔３個と握り部３の貫通孔２個により、長寸法は軸部２の上方２個に握り部３の２個を連結し、短寸法は軸部２の下方２個に握り部３の２個を連結することにより２段階の寸法を設定が可能となる。寸法差については、使用者の身長を考慮すれば１５ｃｍ前後が適当と思われる。
【実施例３】
【００１６】
図４は匙部が剣先で握り部をＹ形とした多機能スコップの正面図、図５は匙部が剣先で握り部をＹ形とした多機能スコップの分離正面図である。以前から存在する各種スコップの握り部はこの形状であり他形状品は特許出願も含めてほとんど見当たらない。従って、Ｔ形握り部３に違和感のある場合にはＹ形握り部４を用いれば匙部１と柄部２は共用でき寸法調整も同様に行うことが出来る。
【実施例４】
【００１７】
図６は匙部の形状を三剣先と角型、図７は１本剣先とした匙部正面図である。従来、スコップの匙部形状は剣先１６と角型１８であり一番多く流通し使用されているのは剣先スコップである。一般に土の大小穴掘りには剣先スコップを、土砂の掬い及び移動には角型スコップが使用される。土が硬い粘土層等に対して剣先１６では作業が困難な場合には三剣先１５を使用すれば土中により入り易くなるが条件によっては剣先本数を増やして対応する。匙部１の形状が角型１８及び三剣先１７共材質は高張力鋼板製とし剣先１６と同様に匙部１の内側部分に複数の波形加工１１を施すことにより匙部１の強度が増すと共に土離れもよくなる。又、三剣先１７でも作業が困難な場合には１本剣先１９を使用する。１本剣先１９は鋼製パイプの先端に硬質で鋭角な鋼材を溶接してあるので根が張って硬い土とか土中の石堀作業には最適である。
【産業上の利用可能性】
【００１８】
本発明の多機能スコップは、先部の取替え、身長にあった柄の伸縮等従来のスコップを進化させたものであり各種の作業条件に容易に対応できる。
【符号の説明】
【００１９】
１    匙部                    １１  波形加工
２    柄部                    １２  パイプ押加工（軸部）
３    Ｔ形握り部              １３  パイプ押加工（Ｔ形握り部）
４    Ｙ形握り部              １４  パイプ押加工（Ｙ形握り部）
５    足掛け部材              １５  パイプ栓
６    匙部貫通孔              １６  剣先
７    軸部貫通孔              １７  三剣先    
８    握り部貫通孔            １８  角型
９    匙部連結部品            １９  １本剣先
１０  軸部連結部品
【図１】
2015200154.tif 000003
【図２】
2015200154.tif 000004
【図３】
2015200154.tif 000005
【図４】
2015200154.tif 000006
【図５】
2015200154.tif 000007
【図６】
2015200154.tif 000008
【図７】
2015200154.tif 000009